(57)【要約】      （修正有）【課題】潜水や落水のリスクを冒さず水を注入する作業をより安全に行うことができる浮力装置を提供する。【解決手段】相反する両端部をそれぞれ水面下部２１及び水面上部２２として有し、水面下部２１に水の出入り口２１１が開けられている中空ハウジング２と、水面下部２１内に、水の出入り口２１１を水密に封止する封止位置と前記水の出入り口を開放する開放位置との間で往復作動することができるように取り付けられている封止手段２４と、水面上部２２内に、水面上部２２の上側での操作によって封止手段２４の前記往復作動を制御することができるように構成されている制御手段２５と、を備える。【選択図】図３
0003184170.tif 000002
【実用新案登録請求の範囲】
【請求項１】
相反する両端部をそれぞれ水面下部及び水面上部として有し、前記水面下部に水の出入り口が開けられている中空ハウジングと、
前記水面下部内に、前記水の出入り口を水密に封止する封止位置と前記水の出入り口を開放する開放位置との間で往復作動することができるように取り付けられている封止手段と、
前記水面上部内に、前記水面上部の上側での操作によって前記封止手段の前記往復作動を制御することができるように構成されている制御手段と、
を備えることを特徴とする浮力装置。
【請求項２】
前記水面下部は、前記中空ハウジングの底板を有し、
前記水の出入り口は、前記底板に開けられ、
前記水面下部は、また、前記水の出入り口の前記底板における周縁から前記中空ハウジングの内側へ延伸している第１のガイド筒を更に備え、
前記封止手段は、前記第１のガイド筒の内側で前記第１のガイド筒の延伸方向に沿って往復作動することができるものであることを特徴とする請求項１に記載の浮力装置。
【請求項３】
前記水面上部は、
前記中空ハウジングの天板を有し、前記天板に操作孔が前記水の出入り口に向かって開けられ、
前記操作孔の前記天板における周縁から前記中空ハウジングの内側へ延伸している第２のガイド筒を更に備え、
前記制御手段は、
一端が取付端として前記封止手段に取付けられ、他端が操作端として前記第２のガイド筒及び前記操作孔を挿通して前記天板の上側に露出している制御棒を備えていることを特徴とする請求項２に記載の浮力装置。
【請求項４】
前記第１のガイド筒は、その筒内の前記水の出入り口側に筒の内周面から張り出すようにした環状の縮径フランジを備え、
前記封止手段は、
前記第１のガイド筒の筒内で前記縮径フランジより前記中空ハウジング側にあり、且つ前記封止手段が前記封止位置に移動すると前記縮径フランジの上面に当接することができるように配置されている封止ブロックと、
前記封止ブロックの下端から前記縮径フランジ側に突出し、且つ前記封止手段が前記封止位置に移動すると前記縮径フランジの環内に挿し込むことができるように構成されている封止突起と、
前記封止手段が前記封止位置に移動して前記封止突起が前記縮径フランジの環内に挿し込まれると前記封止突起と前記縮径フランジとの間にある隙間を水密に塞いで前記水の出入り口を封止することができるように前記封止突起に取り付けられている第１の水密リングと、を備えていることを特徴とする請求項３に記載の浮力装置。
【請求項５】
前記縮径フランジの、前記中空ハウジング側に向かい、前記封止手段が前記封止位置に移動すると前記封止手段の前記封止ブロックと当接することができる当接面には、第２の水密リングが、前記当接面と前記封止ブロックとが当接する際にその間にある隙間を水密に塞ぐことができるように取り付けられていることを特徴とする請求項４に記載の浮力装置。
【請求項６】
前記第２のガイド筒の内筒面に雌ネジが形成され、
前記制御棒には前記第２のガイド筒の前記雌ネジと螺合する雄ネジが形成され、
この構成により、前記天板の上側で前記制御棒の前記操作端を回転操作すると、前記制御棒が前記雄ネジの前記雌ネジとの螺合によって前記第２のガイド筒に沿って移動し、前記制御棒の前記取付端に取付けられている前記封止手段の往復移動を制御することができることを特徴とする請求項３〜請求項５のいずれか一項に記載の浮力装置。
【請求項７】
前記封止手段の前記封止ブロックが前記制御手段の操作によって前記第１のガイド筒から外れないよう、前記制御棒の可動範囲が制限されていることを特徴とする請求項４に記載の浮力装置。
【請求項８】
前記水面上部に空気の出入り口が開けられていることを特徴とする請求項１〜請求項７のいずれか一項に記載の浮力装置。
【請求項９】
前記中空ハウジングは、養殖用の箱網を水面上に浮かせて支持できるフレームに形成されていることを特徴とする請求項１〜請求項８のいずれか一項に記載の浮力装置。
【考案の詳細な説明】
【技術分野】
【０００１】
本考案は、浮力装置に関し、特に、魚類養殖用の生簀や定置網の箱網等を水面近くに浮かせることができ、且つ便利に使用できる浮力装置に関する。
【背景技術】
【０００２】
魚類養殖業では、海がしけで荒れる地域に鉄パイプで構成された四角形の枠に箱網及び浮沈フロートを取り付けてなる浮沈式生簀や定置網が使用されている。
【０００３】
このような浮沈式生簀や定置網に使用される浮沈フロートは、例えば、特許文献１に記載されているものがある。
【０００４】
図１は、特許文献１に記載されている浮沈フロートの断面図である。図１に示されているように、該浮沈フロートの中空本体１１は、水面上に露出した上端に空気入口１２及び排気口１３を有し、水面下にある下端に水出入口１４を有すると共に、該水出入口１４は通常封止蓋１５によって封止されている。
【０００５】
このような浮沈フロートを例えば海の荒れを避けるべく、水面下に隠す時は、ダイバーが潜水して封止蓋１５を外して海水を中空本体１１に徐々に入り込ませる必要があるが、海が荒れる時での潜水作業は危険である。
【０００６】
このような潜水作業を避けるため、図２に示されている浮沈フロート１６が提案されている。図２に示されている浮沈フロート１６には、側面の通常水面上に露出する箇所に水を注入するために水面に向かって開口するように湾曲して形成された水出入管１７が配置されている。この浮沈フロート１６を水面下に隠す時は、人が水出入管１７の開口を水面下に押し込んで水を入れるように、例えば浮沈フロート１６の上端に立つ操作を行うが、浮沈フロート１６の上端に立ったり、各浮沈フロート１６の間を飛び回ったりする作業もまた落水の危険を伴う。
【先行技術文献】
【特許文献】
【０００７】
【特許文献１】台湾実用新案第Ｍ２４９４６８号明細書
【考案の概要】
【考案が解決しようとする課題】
【０００８】
上記のように、本考案は、魚類養殖用の生簀や定置網の箱網に使用される従来の浮沈フロートの問題点に鑑みて、水を注入する作業をより安全に行うことができる浮力装置の提供を目的とする。
【課題を解決するための手段】
【０００９】
上記目的を達成すべく、本考案は、相反する両端部をそれぞれ水面下部及び水面上部として有し、前記水面下部に水の出入り口が開けられている中空ハウジングと、前記水面下部内に、前記水の出入り口を水密に封止する封止位置と前記水の出入り口を開放する開放位置との間で往復作動することができるように取り付けられている封止手段と、前記水面上部内に、前記水面上部の上側での操作によって前記封止手段の前記往復作動を制御することができるように構成されている制御手段と、を備えることを特徴とする浮力装置を提供する。
【００１０】
上記浮力装置において、前記水面下部は、前記中空ハウジングの底板を有し、前記水の出入り口は、前記底板に開けられ、前記水面下部は、また、前記水の出入り口の前記底板における周縁から前記中空ハウジングの内側へ延伸している第１のガイド筒を更に備えており、前記封止手段は、前記第１のガイド筒の内側で前記第１のガイド筒の延伸方向に沿って往復作動することができるものであることが好ましい。
【００１１】
上記浮力装置において、前記水面上部は、前記中空ハウジングの天板を有し、前記天板に操作孔が前記水の出入り口に向かって開けられ、前記操作孔の前記天板における周縁から前記中空ハウジングの内側へ延伸している第２のガイド筒を更に備え、前記制御手段は、一端が取付端として前記封止手段に取付けられ、他端が操作端として前記第２のガイド筒及び前記操作孔を挿通して前記天板の上側に露出している制御棒を備えていることが好ましい。
【００１２】
上記浮力装置において、前記第１のガイド筒は、その筒内の前記水の出入り口側に筒の内周面から張り出すようにした環状の縮径フランジを備えており、前記封止手段は、前記第１のガイド筒の筒内で前記縮径フランジより前記中空ハウジング側にあり、且つ前記封止手段が前記封止位置に移動すると前記縮径フランジの上面に当接することができるように配置されている封止ブロックと、前記封止ブロックの下端から前記縮径フランジ側に突出し、且つ前記封止手段が前記封止位置に移動すると前記縮径フランジの環内に挿し込むことができるように構成されている封止突起と、前記封止手段が前記封止位置に移動して前記封止突起が前記縮径フランジの環内に挿し込まれると前記封止突起と前記縮径フランジとの間にある隙間を水密に塞いで前記水の出入り口を封止することができるように前記封止突起に取り付けられている第１の水密リングと、を備えていることが好ましい。
【００１３】
上記浮力装置において、前記縮径フランジの、前記中空ハウジング側に向かい、前記封止手段が前記封止位置に移動すると前記封止手段の前記封止ブロックと当接することができる当接面には、第２の水密リングが、前記当接面と前記封止ブロックとが当接する際にその間にある隙間を水密に塞ぐことができるように取り付けられていることが好ましい。
【００１４】
上記浮力装置において、前記第２のガイド筒の内筒面に雌ネジが形成されており、前記制御棒には前記第２のガイド筒の前記雌ネジと螺合する雄ネジが形成されており、この構成により、前記天板の上側で前記制御棒の前記操作端を回転操作すると、前記制御棒が前記雄ネジの前記雌ネジとの螺合によって前記第２のガイド筒に沿って移動し、前記制御棒の前記取付端に取付けられている前記封止手段の前記往復移動を制御することができることが好ましい。
【００１５】
上記浮力装置において、前記封止手段の前記封止ブロックが前記制御手段の操作によって前記第１のガイド筒から外れないよう、前記制御棒の可動範囲が制限されていることが好ましい。
【００１６】
上記浮力装置において、前記水面上部に空気の出入り口が開けられていることが好ましい。
【００１７】
上記浮力装置において、前記中空ハウジングは、養殖用の箱網を水面上に浮かせて支持できるフレームに形成されていることが好ましい。
【考案の効果】
【００１８】
上記構成により、本考案の浮力装置は水面上部の上側での操作によって封止手段の往復作動を制御して水の出入り口を開放することができるので、潜水や落水のリスクを冒さなくても水を中空ハウジング内に入らせる注入作業を安全に行うことができる浮力装置を提供できる。
【図面の簡単な説明】
【００１９】
【図１】従来の浮力装置の構成例が示されている断面図である。
【図２】従来の浮力装置のもう一つの構成例が示されている断面図である。
【図３】本考案の浮力装置の構成及び封止手段の封止位置（後述）が示されている一部断面図である。
【図４】本考案の浮力装置の構成及び封止手段の開放位置（後述）が示されている一部断面図である。
【図５】本考案の浮力装置の外形及び箱網が取り付けられている状態が示されている一部斜視図である。
【考案を実施するための形態】
【００２０】
以下では各図面を参照しながら、本考案の好ましい実施形態について詳しく説明する。
【００２１】
図３は、本考案の浮力装置の構成及び封止手段の封止位置（後述）が示されている一部断面図であり、図４は、本考案の浮力装置の構成及び封止手段の開放位置（後述）が示されている一部断面図である。
【００２２】
図３及び図４に示されているように、本考案の浮力装置は、相反する両端部をそれぞれ水面下部２１及び水面上部２２として有し、水面下部２１に水の出入り口２１１が開けられている中空ハウジング２と、中空ハウジング２内に取付けられている封止手段２４と封止手段２４を制御する制御手段２５とを主な構成として備えている。
【００２３】
中空ハウジング２は、内部に空気や水を貯蔵できる流体貯蔵空間２３を囲むように構成されている中空体であり、水面下部２１と水面上部２２とは、本考案の浮力装置が水面に浮かんでいる時に、中空ハウジング２が水面２００より上に露出する部分と水面２００の下にある部分とをそれぞれ指すものである。
【００２４】
水面下部２１は、中空ハウジング２の一部であって浮力装置が水面に浮かんでいる時に重力方向と略垂直に配置されている中空ハウジング２の底板２１２を有し、前記水の出入り口２１１は底板２１２に形成され、封止手段２４は底板２１２に取付けられている。
【００２５】
水面上部２２は、中空ハウジング２の一部であって浮力装置が水面に浮かんでいる時に重力方向と略垂直に配置されている中空ハウジング２の天板２２２を有していると共に、水面上部２２には制御手段２５が取付けられている。更に、中空ハウジング２の上端、即ち天板２２２に空気出入口２２１が形成されていると共に、空気制御ユニット２６が取付けられている。
【００２６】
封止手段２４は、水面下部２１内に、水の出入り口２１１を水密に封止する封止位置と水の出入り口２１１を開放する開放位置との間に往復（上下）作動することができるよう構成されて底板２１２に取り付けられている。
【００２７】
制御手段２５は、水面上部２２内に、水面上部２２の上側での操作によって封止手段２５の前記往復作動を制御することができるように構成されて天板２２２に取り付けられていると共に、封止手段２４に接続している。
【００２８】
空気制御ユニット２６は、空気出入口２２１に取付けられて、流体貯蔵空間２３に対して空気を注入したり、流体貯蔵空間２３内の空気を外部に放出したりすることができるように構成された空気注入ポンプ２６１と、空気注入ポンプ２６１から上方へ突出するノズル２６２と、を備えている。
【００２９】
続いて、同じく図３及び図４を用いて封止手段２４の詳しい構成に対して詳しく説明する。
【００３０】
まず、図示のように、封止手段２４に対応して、水面下部２１は、水の出入り口２１１の底板２１２における周縁から中空ハウジング２の内側（即ち底板２１２の上側）へ延伸する管状の第１のガイド筒２１３を更に備え、第１のガイド筒２１３には、その筒内の水の出入り口２１１側に筒の内周面から張り出すようにした環状の縮径フランジ２１４が形成され、そして縮径フランジ２１４の上面、即ち、縮径フランジ２１４において、中空ハウジング２側に向かい、封止手段２４が封止位置に移動すると封止手段２４の封止ブロック２４１と当接することができる環状の当接面２１５には、水密リング２１６（第２の水密リング）が嵌め込まれている。
【００３１】
封止手段２４は、第１のガイド筒２１３の内側で第１のガイド筒２１３の延伸方向に沿って往復（上下）作動することができるものであり、第１のガイド筒２１３の筒内で縮径フランジ２１４より中空ハウジング側２にあり、且つ封止手段２４が封止位置に移動すると縮径フランジ２１４の上面に当接することができるように配置されている封止ブロック２４１と、封止ブロック２４１の下端から縮径フランジ２１４側に突出し、且つ封止手段２４が封止位置に移動すると縮径フランジ２１４の環内に挿し込むことができるように構成されている封止突起２４２と、を備えている。
【００３２】
更に、封止突起２４２の外周面、即ち封止手段２４が封止位置に移動する時、封止突起２４２の縮径フランジ２１４の内周面に臨む周面には、水密リング２４３（第１の水密リング）が嵌め込まれている。
【００３３】
この構成により、封止手段２４が封止位置に移動して封止突起２４２が縮径フランジ２１４の環内に挿し込まれると、縮径フランジ２１４において、封止ブロック２４１に臨む環状の当接面２１５と封止ブロック２４１との間にある隙間が水密リング２１６により水密に塞がると共に、縮径フランジ２１４の環内に挿し込まれる封止突起２４２と縮径フランジ２１４の内周面との間にある隙間も水密リング２４３により水密に塞がるので、封止手段２４が第１のガイド筒２１３の延伸方向に沿って下へ作動して図３に示されるように封止位置に移動すると、水の出入り口２１１を水密に封止することができる。
【００３４】
また、封止手段２４が封止位置から第１のガイド筒２１３の延伸方向に沿って上へ作動すると、封止ブロック２４１及び封止突起２４２が縮径フランジ２１４から離れるので、水の出入り口２１１は開放され、海水などは水の出入り口２１１を経由して流体貯蔵空間２３内に進入することができる。
【００３５】
続いて、同じく図３及び図４を用いて封止手段２４を制御する制御手段２５の詳しい構成に対して詳しく説明する。
【００３６】
図示のように、制御手段２５に対応して、水面上部２２は、中空ハウジング２の天板２２２に操作孔２２３が水の出入り口２２１に向かって開けられており、更に、操作孔２２３の天板２２２における周縁から中空ハウジング２の内側、即ち水の出入り口２２１及び封止ブロック２４１が配置されている側へ延伸する第２のガイド筒２２４を更に備え、第２のガイド筒２２４の内筒面に雌ネジが形成されている。
【００３７】
制御手段２５は、一端が取付端２５２として封止手段２４の封止ブロック２４１の上端に取付けられ、他端が操作端２５３として第２のガイド筒２２４及び操作孔２２３を挿通して天板２２の上側に露出している制御棒２５１と、制御棒２５１の周面に形成されて第２のガイド筒２２４の前記雌ネジと螺合する雄ネジ２５５と、操作端２５３に取り付けられて制御棒２５１の可動範囲を距離Ｈに制限する制限ブロック２５４と、を備えている。ちなみに、この実施形態では操作端２５３は六角形の断面を有し、対応サイズの六角ドライバーで操作端２５３を回転操作すると、第２のガイド筒２２４の前記雌ネジと制御棒２５１の雄ネジ２５５との螺合する対応で制御棒２５１を引き上げたりまたは押し下げたりすることができるが、本考案はこれに限らず、制御棒２５１の操作端２５３での操作によって、制御棒２５１の上下移動を制御できる構成であれば本考案に適用することができる。
【００３８】
また、制限ブロック２５４は、封止手段２４の封止ブロック２４が制御手段２５の操作、即ち制御棒２５１の上下移動によって第１のガイド筒２１３から外れないように制御棒２５１の可動範囲を距離Ｈに制限するものであり、図４に示されているように制御棒２５１が上方へ移動して制限ブロック２５４が第２のガイド筒２２４の下端に当接する限界位置に到達しても、封止ブロック２４が第１のガイド筒２１３の筒内に留まるように設置されるものであるが、本考案はこれに限らず、封止ブロック２４が制御手段２５の操作、即ち制御棒２５１の上下移動によって第１のガイド筒２１３から外れない構成であれば、本考案に適用することができる。例えば、第１のガイド筒２１３を上へ延長したり、あるいは第２のガイド筒２２４を下へ延長したりする構成も考えられる。
【００３９】
上記構成により、本考案の制御手段２５は、天板２２の上側で制御棒２５１の操作端２５３を回転操作すると、制御棒２５１が雄ネジ２５３の前記雌ネジとの螺合によって第２のガイド筒２２４に沿って上下移動し、制御棒２５１の取付端２５２に取付けられている封止手段２４の往復移動を制御することができる。
【００４０】
更に、図５は、本考案の浮力装置の外形及び箱網が取り付けられている状態が示されている一部斜視図である。
【００４１】
図示のように、本考案の浮力装置が有する中空ハウジング２は、養殖用の箱網４を水面上に浮かせて支持できるフレームに形成することができる。図示のように、中空ハウジング２は中空の円環状枠に形成され、養殖用の箱網４は固定アーム３を介して中空ハウジング２に固定されている。
【００４２】
この構成により、天候や海が荒れて養殖用の箱網４を水面下に退避する必要がある時、中空ハウジング２の上に立って天板２２の上側に露出している制御棒２５１の操作端２５３を回せば、制御棒２５１及び封止手段２４を引き上げることによって、水の出入り口２１１を開放して海水などを流体貯蔵空間２３内に進入させることができる。
【００４３】
また、養殖用の箱網４をまた水面上に浮上させたい時は、まず空気出入口２２１に取付けられている空気注入ポンプ２６１を起動してノズル２６２に取付けられる空気導入パイプ（図示せず）を経由して空気を流体貯蔵空間２３に注入し、流体貯蔵空間２３に入った海水などが水の出入り口２１１を経由して排出されてから、天板２２の上側に露出している制御棒２５１の操作端２５３を回して封止手段２４を封止位置に押し下げて水の出入り口２１１を封止できる。
【００４４】
従って、本考案の浮力装置を導入すれば、潜水や浮沈フロートの間を飛び回ったりする作業も必要なくなり、操作者の安全を図ることができる。
【産業上の利用可能性】
【００４５】
上記構成により、本考案の浮力装置は、水面上部の上側での操作によって封止手段の往復作動を制御して水の出入り口を開放することができるので、潜水や落水のリスクを冒さなくても水を中空ハウジング内に入らせる注入作業を安全に行うことができる浮力装置を提供することができるので、特に魚類養殖業で広く使用されている浮沈式生簀や定置網などに適用することができる。
【符号の説明】
【００４６】
２  中空ハウジング
２００  水面
２１  水面下部
２１１  水の出入り口
２１２  底板
２１３  第１のガイド筒
２１４  縮径フランジ
２１５  当接面
２１６  水密リング（第２の水密リング）
２２  水面上部
２２１  空気出入口
２２２  天板
２２３  操作孔
２２４  第２のガイド筒
２３  流体貯蔵空間
２４  封止手段
２４１  封止ブロック
２４２  封止突起
２４３  水密リング（第１の水密リング）
２５  制御手段
２５１  制御棒
２５２  取付端
２５３  操作端
２５４  制限ブロック
２５５  雄ネジ
２６  空気制御ユニット
２６１  空気注入ポンプ
２６２  ノズル
３  固定アーム
４  箱網
【図１】
0003184170.tif 000003
【図２】
0003184170.tif 000004
【図３】
0003184170.tif 000005
【図４】
0003184170.tif 000006
【図５】
0003184170.tif 000007